【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
圧力供給ジョイント（２）と、圧力供給ジョイント（２）から供給された加圧気体を調圧する減圧弁と、減圧弁によって調圧された加圧気体を液体材料に供給する吐出圧供給ジョイント（８）と、減圧弁と吐出圧供給ジョイント（８）とを連通または遮断する電磁弁と、内部に流路を有するマニホールドとを備え、マニホールドに電磁弁および減圧弁を一体的に配置することを特徴とする液体吐出装置。
【請求項２】
さらにベース（１７）を備え、減圧弁、圧力供給ジョイント（２）、吐出圧供給ジョイント（８）、電磁弁およびマニホールドが予め一体的に組み立て可能なユニットとして構成され、ユニットをベース（１７）に固定できることを特徴とする請求項１の液体吐出装置。
【請求項３】
吐出圧供給ジョイント（８）は、電磁弁と直結されることを特徴とする請求項１または２のいずれかの液体吐出装置。
【請求項４】
マニホールドの内部に、減圧弁と圧力供給ジョイントとを連通する第１流路、減圧弁と電磁弁とを連通する第２流路を有することを特徴とする請求項１ないし３のいずれかの液体吐出装置。
【請求項５】
さらに、加圧気体を排出する排気口を備え、
マニホールドの内部に電磁弁と排気口とを連通する第３の流路を有し、
電磁弁は、吐出圧供給ジョイント（８）と第２流路または第３流路との連通を切替える切替弁であることを特徴とする請求項４の液体吐出装置。
【請求項６】
マニホールドの内部に第１流路と第３流路とを連通する第４流路と、第１流路と第４流路との接合部、または第４流路中に設けたバルブ室（３１）を有し、
バルブ室に弁（５５）を装着してなる液だれ防止機構を備えることを特徴とする請求項４または５の液体吐出装置。
【請求項７】
弁（５５）は、バルブ室（３１）の内壁面に弁体を密着して摺動するよう構成された流量制御弁であり、
第４流路は、第３流路との連結箇所近傍に細経路（４０）を有し、
液だれ防止機構は、弁（５５）の開度により第４流路の流量を調節可能であることを特徴とする請求項６の液体吐出装置。
【請求項８】
流量制御弁は、バルブ室（３１）の中に挿入され固定される環状の弁座（５０）と、固定具（５２）に螺合された軸（５３）と、その先端に設けられた弁体（５１）と、その後端に設けられたつまみ（５４）とから構成されることを特徴とする請求項７の液体吐出装置。
【請求項９】
電磁弁および減圧弁は、マニホールドの外表面の同一側面に面接合されることを特徴とする請求項１ないし８のいずれかの液体吐出装置。
【請求項１０】
マニホールドは、その正面下側に空間を有する略Ｌ字形状に形成されており、正面下側の空間に電磁弁が配置されることを特徴とする請求項１ないし８のいずれかの液体吐出装置。
【請求項１１】
減圧弁は、マニホールドの側面に面接合されることを特徴とする請求項１０の液体吐出装置。
【請求項１２】
減圧弁は、減圧弁と直結した調圧用ノブを備えることを特徴とする請求項１ないし１１のいずれかの液体吐出装置。
【手続補正２】
【補正対象書類名】明細書
【補正対象項目名】０００３
【補正方法】変更
【補正の内容】
【０００３】
そこで、出願人は、シリンジとエア供給源との間に電磁切替弁を、該電磁切替弁とエア供給源とを繋ぐ第２の配管にアキュムレータを設け、第２の配管および電磁切替弁とシリンジを繋ぐ第１の配管それぞれに圧力センサを設けることにより、液体の残量の変化により生じる圧力の変化を計測して電磁切替弁の開閉を制御可能とする液体定量吐出装置を発明した（特許文献１）。
【特許文献１】特開平２−５６２７１号公報
【手続補正３】
【補正対象書類名】明細書
【補正対象項目名】００２５
【補正方法】変更
【補正の内容】
【００２５】
図１は、本実施例に係る装置本体の外観斜視図であり、図２は、本体に構成されるエア回路の概略平面図である。
【手続補正４】
【補正対象書類名】明細書
【補正対象項目名】００３０
【補正方法】変更
【補正の内容】
【００３０】
吐出圧供給ジョイント８は、シリンジに貯留される液体材料に圧力を供給するための管と連通する。液体を吐出するために吐出圧供給ジョイント８から液体材料に一定時間圧力を印可し終わると、電磁弁７は吐出圧供給ジョイント８とマニホールド３が有する第３流路とを連通する位置に弁を切り換える。これにより、吐出圧供給ジョイント８からシリンジに至る圧縮エアが、第３流路１４を介して排気用ジョイント９が有する排気口１６より大気に放出される。すると、シリンジ内の圧力がほぼ大気圧と同等の圧力まで低下するので、液垂れを防ぐことができる。
【手続補正５】
【補正対象書類名】明細書
【補正対象項目名】００３１
【補正方法】変更
【補正の内容】
【００３１】
実施例２は、実施例１の吐出装置にバキューム機構を加えた吐出装置である。
（構成）図３に示すように、マニホールド６０は側面形状が鉤形状に形成されており、正面下側に空間を有し、背面側には加圧エアが供給される流入口３８と、エアを放出する流出口３９を有する。ここで、流入口３８には、実施例１のように圧力供給ジョイント２が接続することが好ましく、流出口３９には実施例１のように排気用ジョイント９を接続することもできる。
マニホールド６０の正面上側、Ａ流路と連通する位置に負圧力を調整する流量制御弁５５を有する。マニホールド６０の正面部下部には電磁弁７が配設され、該電磁弁７と連通する電磁弁Ａ側口５８および電磁弁Ｂ側口Ａ５９が設けられている。
マニホールド６０の右側面部には、減圧弁４と連通する減圧弁一次圧側口５６および減圧弁二次圧側口５７が設けられ、また、右側面部の外表面上には減圧弁４が配設される。
【手続補正６】
【補正対象書類名】明細書
【補正対象項目名】００４０
【補正方法】変更
【補正の内容】
【００４０】
（流路の形成方法）マニホールド３内の流路は、例えば図４に図示するように、所ブロック体にドリル等の穴あけ手段によって貫通孔を形成させた後に、不要な流路を螺等によって塞ぐことによって形成することができる。
他には、上面用のブロック体および下面用のブロック体を用意し、このそれぞれに溝を形成させた後に、これを貼り合わせることによって、流路を形成させることもできる。
もちろん上面、下面のブロック体を貼り合わせて構成する二層構造マニホールドのみならず、複数枚のブロックの片面および両面に溝を形成させて重ね合わせた多層流路構造を有するマニホールドを構成することもできる。
【手続補正７】
【補正対象書類名】明細書
【補正対象項目名】００４３
【補正方法】変更
【補正の内容】
【００４３】
１  本体
２  圧力供給ジョイント
３  マニホールド
４  レギュレータ（減圧弁）
５  ノブ
６  圧力計
７  電磁弁
８  吐出圧供給ジョイント
９  排気用ジョイント
１０  フロントパネル
１１  リアパネル
１２  第１流路
１３  第２流路
１４  第３流路
１５  圧力供給口
１６  排気口
１７  ベース
１８  カバー
１９  吐出ボタン
２０  吐出圧供給口
３０  Ａ流路
３１  バルブ室
３２  Ｂ流路
３３  細経流路
３４  Ｃ流路
３５  Ｄ流路
３６  Ｅ流路
３７  Ｆ流路
３８  流入口
３９  流出口
４０  細経路
５０  弁座
５１  弁体
５２  固定具
５３  軸
５４  つまみ
５５  流量制御弁
５６  減圧弁一次圧側口
５７  減圧弁二次圧側口
５８  電磁弁Ａ側口
５９  電磁弁Ｂ側口
６０  マニホールド
６５  Ａ分岐口
６６  Ｂ分岐口